(57)【要約】【課題】自動取引装置の筐体内部の温度の上昇をより有効に抑制する技術を提供する。【解決手段】筐体の内部に存在して動作中に発熱する１の動作部と、前記筐体の内部に存在する他の動作部と、前記筐体の内部の熱を前記筐体の外部に排出する熱排出部と、前記熱排出部および前記１の動作部と前記他の動作部との間を仕切る仕切り板と、を備える、自動取引装置が提供される。【選択図】図１
2015184978.tif 000002
【特許請求の範囲】
【請求項１】
筐体の内部に存在して動作中に発熱する１の動作部と、
前記筐体の内部に存在する他の動作部と、
前記筐体の内部の熱を前記筐体の外部に排出する熱排出部と、
前記熱排出部および前記１の動作部と前記他の動作部との間を仕切る仕切り板と、
を備える、自動取引装置。
【請求項２】
前記仕切り板は、前記筐体の内部に水平方向に設けられ、前記筐体の内部は、前記仕切り板によって上部と下部とに仕切られる、
請求項１に記載の自動取引装置。
【請求項３】
前記自動取引装置は、
前記筐体の内部が前記仕切り板によって仕切られた前記上部の熱を排出するスリットをさらに備える、
請求項２に記載の自動取引装置。
【請求項４】
前記自動取引装置は、
前記筐体の内部が前記仕切り板によって仕切られた前記下部の熱を排出するスリットをさらに備える、
請求項２に記載の自動取引装置。
【請求項５】
前記１の動作部は、外部電源から供給された電力を前記筐体の内部または外部に存在する所定の動作部に提供する電源部を含む、
請求項１に記載の自動取引装置。
【請求項６】
前記１の動作部は、前記筐体の内部または外部に存在する所定の動作部に電力を供給するバッテリ部を含む、
請求項１に記載の自動取引装置。
【請求項７】
前記１の動作部は、前記筐体の内部または外部に存在する所定の動作部の動作を制御する制御部を含む、
請求項１に記載の自動取引装置。
【請求項８】
前記自動取引装置は、
前記筐体の外部から前記筐体の内部に吸気を行う吸気部をさらに備える、
請求項１に記載の自動取引装置。
【発明の詳細な説明】
【技術分野】
【０００１】
本発明は、自動取引装置に関するものである。
【背景技術】
【０００２】
昨今、現金自動預け払い機（ＡＴＭ：Ａｕｔｏｍａｔｅｄ  Ｔｅｌｌｅｒ  Ｍａｃｈｉｎｅ、以下、単に「ＡＴＭ」とも言う。）などの自動取引装置が利用されている。自動取引装置は、画面に案内を表示し、案内に従って利用者によってカードが挿入され、キー部から暗証情報が入力されると、暗証情報の照合が成功した場合に、現金の預け入れや払い戻しなどの取引を行うことができる。かかる自動取引装置は、金融機関だけではなく小売店や公共施設などにも設置される例が増えてきている。
【０００３】
ところで、自動取引装置の各動作部は熱を発生し得る。また、自動取引装置による取引などによって各動作部のアクチュエータが稼働すると、各動作部は、さらに大きな熱を発生し得る。各動作部によって発生された熱が筐体の内部を循環してしまうと、筐体の内部の温度が上昇し、自動取引装置の動作に不具合が生じてしまう可能性がある。そこで、筐体の内部の温度の上昇を抑制する技術が開示されている（例えば、特許文献１参照）。
【先行技術文献】
【特許文献】
【０００４】
【特許文献１】特開２００４−１５７６６４号公報
【発明の概要】
【発明が解決しようとする課題】
【０００５】
しかしながら、自動取引装置の筐体内部の温度の上昇を抑制するためのより有効な対策が求められている。そこで、本発明は、上記問題に鑑みてなされたものであり、本発明の目的とするところは、自動取引装置の筐体内部の温度の上昇をより有効に抑制する技術を提供することにある。
【課題を解決するための手段】
【０００６】
上記問題を解決するために、本発明のある観点によれば、筐体の内部に存在して動作中に発熱する１の動作部と、前記筐体の内部に存在する他の動作部と、前記筐体の内部の熱を前記筐体の外部に排出する熱排出部と、前記熱排出部および前記１の動作部と前記他の動作部との間を仕切る仕切り板と、を備える、自動取引装置が提供される。
【０００７】
前記仕切り板は、前記筐体の内部に水平方向に設けられ、前記筐体の内部は、前記仕切り板によって上部と下部とに仕切られてよい。
【０００８】
前記自動取引装置は、前記筐体の内部が前記仕切り板によって仕切られた前記上部の熱を排出するスリットをさらに備えてよい。
【０００９】
前記自動取引装置は、前記筐体の内部が前記仕切り板によって仕切られた前記下部の熱を排出するスリットをさらに備えてよい。
【００１０】
前記１の動作部は、外部電源から供給された電力を前記筐体の内部または外部に存在する所定の動作部に提供する電源部を含んでよい。
【００１１】
前記１の動作部は、前記筐体の内部または外部に存在する所定の動作部に電力を供給するバッテリ部を含んでよい。
【００１２】
前記１の動作部は、前記筐体の内部または外部に存在する所定の動作部の動作を制御する制御部を含んでよい。
【００１３】
前記自動取引装置は、前記筐体の外部から前記筐体の内部に吸気を行う吸気部をさらに備えてよい。
【発明の効果】
【００１４】
以上説明したように本発明によれば、自動取引装置の筐体内部の温度の上昇をより有効に抑制することが可能となる。
【図面の簡単な説明】
【００１５】
【図１】本発明の実施形態に係る自動取引装置の外観を示す斜視図である。
【図２】本発明の実施形態に係る自動取引装置の左側面図である。
【図３】本発明の実施形態に係る自動取引装置の前面図である。
【図４】本発明の実施形態に係る自動取引装置の右側面図である。
【図５】本発明の実施形態に係る自動取引装置の背面図である。
【発明を実施するための形態】
【００１６】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１７】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１８】
以下、本発明の実施形態に係る自動取引装置１について説明する。図１は、本発明の実施形態に係る自動取引装置１の外観を示す斜視図である。まず、図１を参照しながら、本発明の実施形態に係る自動取引装置１の外部構成について説明する。例えば、自動取引装置１は、紙幣を還流させる（リサイクルさせる）タイプのＡＴＭに代表される顧客操作型端末であってよい。また、自動取引装置１は、銀行、駅構内およびコンビニエンスストアなど、多様な場所に設置され得る。
【００１９】
図１を参照すると、自動取引装置１は、表示部２と、カードの挿入排出および取引明細の排出がなされるカード明細口３と、入金時に紙幣が挿入され、出金時に紙幣が排出される紙幣口４と、キー操作部５と、情報を入力するためのキー部６、装置本体７とを備える。表示部２には、利用者が操作するためのタッチパネルが積層されていてよい。自動取引装置１の動作の例として出金の動作を説明する。
【００２０】
まず、利用者がカードをカード明細口３に挿入すると、暗証情報の入力案内が表示部２に表示される。利用者はキー部６を操作して暗証情報を入力する。カードから読み取られたデータに基づいて暗証情報の照合が成功すると、利用者は払い戻したい金額をキー部６に入力し、表示部２に表示された確認ボタンを押下する操作を行う。入力された金額に相当する現金が紙幣口４に排出されると、利用者は現金を受け取り、取引が完了する。
【００２１】
図２は、本発明の実施形態に係る自動取引装置１の左側面図である。また、図３は、本発明の実施形態に係る自動取引装置１の前面図である。図４は、本発明の実施形態に係る自動取引装置１の右側面図である。図５は、本発明の実施形態に係る自動取引装置１の背面図である。以下、図２〜図５を参照しながら、本発明の実施形態に係る自動取引装置１の内部構成について説明する。
【００２２】
図２〜図５に示したように、自動取引装置１は、動作部の例として、カード明細部１０と、紙幣部１１と、制御部１２と、電源部１３と、バッテリ部１４とを備えている。これらの動作部は、自動取引装置１の筐体の内部に存在する。まず、これらの動作部の機能について簡単に説明する。
【００２３】
カード明細部１０は、カード明細口３から挿入されたカードを取り扱う機能を有する。また、カード明細部１０は、取引明細を印刷してカード明細口３から排出する機能を有する。なお、カード明細部１０は、図示しないスライドレールを介して装置本体７に取り付けられていてよい。
【００２４】
紙幣部１１は、入金または出金指示に基づいて紙幣を取り扱う機能を有する。入金指示または出金指示は、利用者から上記したタッチパネルに対して入力され得る。なお、紙幣部１１は、図示しないスライドレールを介して装置本体７に取り付けられていてよい。また、カード明細部１０と紙幣部１１とは、スライドレールにより自動取引装置１の前側に引き出すことができてよい。
【００２５】
制御部１２は、筐体の内部または外部に存在する所定の動作部の動作を制御する機能を有する。例えば、所定の動作部は、カード明細部１０、紙幣部１１、電源部１３およびバッテリ部１４のうち少なくとも何れか一つを含んでもよいし、これらの動作部以外（例えば、ファンなど）を含んでもよい。あるいは、所定の動作部は、これらの組み合わせを含んでもよい。なお、制御部１２は、図示しないねじによって装置本体７に固定されていてよい。
【００２６】
電源部１３は、外部電源から供給された電力を筐体の内部または外部に存在する所定の動作部に提供する機能を有する。例えば、所定の動作部は、カード明細部１０、紙幣部１１、電源部１３およびバッテリ部１４のうち少なくとも何れか一つを含んでもよいし、これらの動作部以外（例えば、ファンなど）を含んでもよい。あるいは、所定の動作部は、これらの組み合わせを含んでもよい。なお、電源部１３は、図示しないねじによって装置本体７に固定されていてよい。
【００２７】
バッテリ部１４は、筐体の内部または外部に存在する所定の動作部に電力を供給する機能を有する。例えば、所定の動作部は、カード明細部１０、紙幣部１１、電源部１３およびバッテリ部１４のうち少なくとも何れか一つを含んでもよいし、これらの動作部以外（例えば、ファンなど）を含んでもよい。あるいは、所定の動作部は、これらの組み合わせを含んでもよい。なお、バッテリ部１４は、図示しないねじによって装置本体７に固定されていてよい。
【００２８】
また、バッテリ部１４は、外部電源と電源部１３との間に接続されていてよい。そして、バッテリ部１４は、停電などにより外部電源から電源部１３への電力供給が途絶えたことが検出されると、電源部１３の代わりに所定の動作部に電力を供給することができる。かかる機能により、バッテリ部１４は、外部電源から電源部１３への電力供給が途絶えた場合であっても、所定の時間内であれば、所定の動作部に電力を供給することができる。
【００２９】
自動取引装置１が備える各動作部の機能について簡単に説明した。ここで、自動取引装置１を外部電源に接続し、電源部１３のスイッチをＯＮにすると、自動取引装置１の動作状態は、アイドル状態へと遷移され得る。このとき、各動作部の動作状態は、待機状態へと遷移され、各動作部は熱を発生し得る。また、自動取引装置１による取引などによって各動作部のアクチュエータが稼働すると、各動作部は、さらに大きな熱を発生し得る。各動作部によって発生された熱が筐体の内部を循環してしまうと、筐体の内部の温度が上昇し、自動取引装置１の動作に不具合が生じてしまう可能性がある。不具合の例としては、カード明細部１０において扱う取引明細などの感熱紙の発色、自動取引装置１の故障などが挙げられる。
【００３０】
そのため、自動取引装置１は、筐体の内部から外部に熱を排出するための機構を備えるのがよい。以下においては、自動取引装置１の筐体の内部から外部に熱を排出するための機構について説明する。具体的には、図２〜図５に示すように、自動取引装置１は、ファン１５〜２０と、スリット２１〜２８とを備えてよい。まず、ファン１５〜２０とスリット２１〜２８とが有する機能について説明する。
【００３１】
スリット２１〜２８は、筐体の内部と外部との間で吸気または換気を行う。例えば、スリット２１〜２８は、筐体の内部から外部に換気を行う場合には、筐体の内部の熱を筐体の外部に排出する熱排出部として機能し得る。また、例えば、スリット２１〜２８は、筐体の外部から内部に吸気を行う場合には、筐体の外部の空気を筐体の外部に吸引する吸気部として機能し得る。スリット２１〜２８は、装置本体７の筐体に設けられていてよい。また、ファン１５〜２０は、回転によって空気を移動させることが可能である。ファン１５〜２０は、図示しないねじによって装置本体７に固定されていてよい。
【００３２】
例えば、図３または図５を参照すると、筐体の上部に設けられたファン１５は、筐体の外部から内部に空気を移動させるように設けられている。したがって、筐体の上部に設けられたスリット２１は、ファン１５による筐体の外部から内部への空気の移動に伴って、筐体の外部から筐体内部の上部に吸気を行う。このように、スリット２１においては、強制的な空気の移動（以下、単に「強制移動」とも言う。）がなされる。図３または図５には、スリット２１における強制移動の向きが矢印Ａによって示されている。
【００３３】
なお、図３または図５に示した例では、スリット２１は、筐体の左側面に設けられているが、スリット２１が設けられる位置は特に限定されないため、筐体の右側面であってもよいし、筐体の前面であってもよいし、筐体の背面であってもよい。また、図３または図５に示したように、ファン１５は、筐体の内部においてスリット２１よりも内側に設けられているのがよいため、ファン１５が設けられる位置もスリット２１の位置に応じて適宜に変更されてよい。
【００３４】
また、図３または図５を参照すると、筐体の下部に設けられたファン１６は、筐体の外部から内部に空気を移動させるように設けられている。したがって、筐体の下部に設けられたスリット２２は、ファン１６による筐体の外部から内部への空気の移動に伴って、筐体の外部から筐体内部の下部に吸気を行う。このように、スリット２２においては、強制移動がなされる。図３または図５には、スリット２２における強制移動の向きが矢印Ｂによって示されている。
【００３５】
なお、図３または図５に示した例では、スリット２２は、筐体の左側面に設けられているが、スリット２２が設けられる位置は特に限定されないため、筐体の右側面であってもよいし、筐体の前面であってもよいし、筐体の背面であってもよい。また、図３または図５に示したように、ファン１６は、筐体の内部においてスリット２２よりも内側に設けられているのがよいため、ファン１６が設けられる位置もスリット２２の位置に応じて適宜に変更されてよい。
【００３６】
また、図３または図５を参照すると、制御部１２に設けられたファン１７は、筐体の外部から制御部１２の内部に空気を移動させるように設けられている。したがって、制御部１２に設けられたスリット２３は、ファン１７による筐体の外部から制御部１２の内部への空気の移動に伴って、筐体の外部から制御部１２の内部に吸気を行う。このように、スリット２３においては、強制移動がなされる。図３または図５には、スリット２３における強制移動の向きが矢印Ｃによって示されている。
【００３７】
なお、図３または図５に示した例では、スリット２３は、筐体の右側面に設けられているが、スリット２３が設けられる位置は特に限定されないため、筐体の左側面であってもよいし、筐体の前面であってもよいし、筐体の背面であってもよい。また、図３または図５に示したように、ファン１７は、筐体の内部においてスリット２３よりも内側に設けられているのがよいため、ファン１７が設けられる位置もスリット２３の位置に応じて適宜に変更されてよい。
【００３８】
また、図２を参照すると、制御部１２に設けられたファン１８は、筐体の内部から外部に空気を移動させるように設けられている。したがって、制御部１２に設けられたスリット２４は、ファン１８による筐体の内部から外部への空気の移動に伴って、筐体の内部から外部に換気を行う。このように、スリット２４においては、強制移動がなされる。図２には、スリット２４における強制移動の向きが矢印Ｄによって示されている。
【００３９】
なお、図２に示した例では、スリット２４は、筐体の背面に設けられているが、スリット２４が設けられる位置は特に限定されないため、筐体の右側面であってもよいし、筐体の左側面であってもよいし、筐体の前面であってもよい。また、図２に示したように、ファン１８は、筐体の内部においてスリット２４よりも内側に設けられているのがよいため、ファン１８が設けられる位置もスリット２４の位置に応じて適宜に変更されてよい。
【００４０】
また、図２を参照すると、電源部１３に設けられたファン１９は、筐体の内部から外部に空気を移動させるように設けられている。したがって、電源部１３に設けられたスリット２５は、ファン１９による筐体の内部から外部への空気の移動に伴って、筐体の内部から外部に換気を行う。このように、スリット２５においては、強制移動がなされる。図２には、スリット２５における強制移動の向きが矢印Ｅによって示されている。
【００４１】
なお、図２に示した例では、スリット２５は、筐体の背面に設けられているが、スリット２５が設けられる位置は特に限定されないため、筐体の右側面であってもよいし、筐体の左側面であってもよいし、筐体の前面であってもよい。また、図２に示したように、ファン１９は、筐体の内部においてスリット２５よりも内側に設けられているのがよいため、ファン１９が設けられる位置もスリット２５の位置に応じて適宜に変更されてよい。
【００４２】
また、図２を参照すると、バッテリ部１４に設けられたファン２０は、筐体の内部から外部に空気を移動させるように設けられている。したがって、バッテリ部１４に設けられたスリット２６は、ファン２０による筐体の内部から外部への空気の移動に伴って、筐体の内部から外部に換気を行う。このように、スリット２６においては、強制移動がなされる。図２には、スリット２６における強制移動の向きが矢印Ｆによって示されている。
【００４３】
なお、図２に示した例では、スリット２６は、筐体の背面に設けられているが、スリット２６が設けられる位置は特に限定されないため、筐体の右側面であってもよいし、筐体の左側面であってもよいし、筐体の前面であってもよい。また、図２に示したように、ファン２０は、筐体の内部においてスリット２６よりも内側に設けられているのがよいため、ファン２０が設けられる位置もスリット２６の位置に応じて適宜に変更されてよい。
【００４４】
また、図４を参照すると、筐体の上部にスリット２７が設けられている。ここで、筐体の上部に設けられたスリット２１による吸気によって筐体内部の上部と外部との間には圧力差が生じる。したがって、筐体の上部に設けられたスリット２７は、かかる圧力差に従って、筐体上部の内部から外部に換気を行う。このように、スリット２７においては、自然な空気の移動（以下、単に「自然移動」とも言う。）がなされる。図４には、スリット２７における自然移動の向きが矢印Ｇによって示されている。
【００４５】
このように、筐体の上部に設けられたスリット２７による換気によって、筐体の内部において上部の空間に存在する熱が筐体の外部に排出され得る。なお、図４に示した例では、スリット２７は、筐体の背面に設けられているが、スリット２７が設けられる位置は特に限定されないため、筐体の右側面であってもよいし、筐体の左側面であってもよいし、筐体の前面であってもよい。
【００４６】
また、図４を参照すると、筐体の下部にスリット２８が設けられている。ここで、筐体の下部に設けられたスリット２２による吸気によって筐体内部の下部と外部との間には圧力差が生じる。したがって、筐体の上部に設けられたスリット２８は、かかる圧力差に従って、筐体内部の下部から外部に換気を行う。このように、スリット２８においては、自然移動がなされる。図４には、スリット２８における自然移動の向きが矢印Ｈによって示されている。
【００４７】
このように、筐体の下部に設けられたスリット２８による換気によって、筐体の内部において下部の空間に存在する熱が筐体の外部に排出され得る。なお、図４に示した例では、スリット２８は、筐体の背面に設けられているが、スリット２８が設けられる位置は特に限定されないため、筐体の右側面であってもよいし、筐体の左側面であってもよいし、筐体の前面であってもよい。
【００４８】
以上、ファン１５〜２０とスリット２１〜２８とが有する機能について説明した。このように、自動取引装置１がファン１５〜２０とスリット２１〜２８とを備えることによって、自動取引装置１の筐体の内部から外部に熱が排出される。しかし、各動作部によって発生された熱は、依然として自動取引装置１の筐体の内部に拡散されてしまう可能性がある。したがって、自動取引装置１の動作に不具合が生じてしまう可能性をより低減することが可能な技術の提供が望まれる。
【００４９】
具体的には、自動取引装置１が、筐体の内部に存在して動作中に発熱する１の動作部と、筐体の内部に存在する他の動作部と、筐体の内部の熱を筐体の外部に排出する熱排出部とを自動取引装置１が備える場合を想定する。かかる場合、自動取引装置１は、熱排出部および１の動作部と他の動作部との間を仕切る仕切り板を備えるとよい。かかる構成によれば、１の動作部から発生した熱が他の動作部に移動してしまうことを妨げることが可能である。したがって、自動取引装置１の筐体内部の温度上昇を抑制し、自動取引装置１の動作に不具合が生じてしまう可能性がより低減される。
【００５０】
ここで、上記した１の動作部は特に限定されないが、制御部１２であってもよいし、電源部１３であってもよいし、バッテリ部１４であってもよい。また、上記した１の動作部は、カード明細部１０であってもよいし、紙幣部１１であってもよい。図２〜図５には、制御部１２、電源部１３およびバッテリ部１４それぞれが上記した１の動作部として機能する場合が例として示されている。かかる例について具体的に説明する。
【００５１】
図２、図３および図５を参照すると、制御部１２およびスリット２４と、カード明細部１０、紙幣部１１、電源部１３およびバッテリ部１４との間に、仕切り板３０が設けられている。このような位置に仕切り板３０が設けられることによって、熱の移動が仕切り板３０によって妨げられるとともに、スリット２４から熱が排出される。そのため、制御部１２によって発生された熱が、カード明細部１０、紙幣部１１、電源部１３およびバッテリ部１４に移動してしまう可能性を抑制することが可能となる。
【００５２】
なお、図２、図３および図５を参照すると、仕切り板３０が、制御部１２の底面および右側面それぞれに沿って設けられているが、仕切り板３０の位置は特に限定されない。したがって、仕切り板３０は、制御部１２の底面に沿って設けられていてもよいし、制御部１２の右側面に沿って設けられていてもよい。また、仕切り板３０の材質は特に限定されないため、自動取引装置１の筐体と同一の材質であってもよいし、自動取引装置１の筐体と異なる材質であってもよい。
【００５３】
また、仕切り板３０の大きさは特に限定されない。例えば、図２、図３および図５に示したように、仕切り板３０と自動取引装置１の筐体とは接していてよいが、特に接していなくてもよい。ただし、制御部１２から熱が拡散してしまうことを妨げるという観点からは、仕切り板３０と自動取引装置１の筐体とは、接しているのがよい。さらに、仕切り板３０と自動取引装置１の筐体とが接していれば、自動取引装置１の筐体の強度を増すことが可能であるという新たな効果も享受され得る。
【００５４】
また、図２、図３および図５を参照すると、電源部１３およびスリット２５と、カード明細部１０、紙幣部１１、制御部１２およびバッテリ部１４との間に、仕切り板３１が設けられている。このような位置に仕切り板３１が設けられることによって、熱の移動が仕切り板３１によって妨げられるとともに、スリット２５から熱が排出される。そのため、電源部１３によって発生された熱が、カード明細部１０、紙幣部１１、制御部１２およびバッテリ部１４に移動してしまう可能性を抑制することが可能となる。
【００５５】
なお、図２、図３および図５を参照すると、仕切り板３１が、電源部１３の上面、左側面および底面それぞれに沿って設けられているが、仕切り板３１の位置は特に限定されない。したがって、仕切り板３１は、電源部１３の右側面に沿って設けられていてもよい。なお、電源部１３の底面に沿って設けられている仕切り板３１は、図２、図３および図５に示されたように、仕切り板３２と共通になっていてもよいし、仕切り板３２とは別体であってもよい。また、仕切り板３１の材質は特に限定されないため、自動取引装置１の筐体と同一の材質であってもよいし、自動取引装置１の筐体と異なる材質であってもよい。
【００５６】
また、仕切り板３１の大きさは特に限定されない。例えば、図２、図３および図５に示したように、仕切り板３１と自動取引装置１の筐体とは接していてよいが、特に接していなくてもよい。ただし、電源部１３から熱が拡散してしまうことを妨げるという観点からは、仕切り板３１と自動取引装置１の筐体とは、接しているのがよい。さらに、仕切り板３１と自動取引装置１の筐体とが接していれば、自動取引装置１の筐体の強度を増すことが可能であるという新たな効果も享受され得る。
【００５７】
また、図２、図３および図５を参照すると、バッテリ部１４およびスリット２６と、カード明細部１０、紙幣部１１、制御部１２および電源部１３との間に、仕切り板３２が設けられている。このような位置に仕切り板３２が設けられることによって、熱の移動が仕切り板３２によって妨げられるとともに、スリット２６から熱が排出される。そのため、バッテリ部１４によって発生された熱が、カード明細部１０、紙幣部１１、制御部１２および電源部１３に移動してしまう可能性を抑制することが可能となる。
【００５８】
なお、図２、図３および図５を参照すると、仕切り板３２が、バッテリ部１４の上面、左側面および底面それぞれに沿って設けられているが、仕切り板３２の位置は特に限定されない。したがって、仕切り板３２は、バッテリ部１４の右側面に沿って設けられていてもよい。なお、バッテリ部１４の底面に沿って設けられている仕切り板３２は、図２、図３および図５に示されたように、仕切り板３１と共通になっていてもよいし、仕切り板３１とは別体であってもよい。また、仕切り板３２の材質は特に限定されないため、自動取引装置１の筐体と同一の材質であってもよいし、自動取引装置１の筐体と異なる材質であってもよい。
【００５９】
また、仕切り板３２の大きさは特に限定されない。例えば、図２、図３および図５に示したように、仕切り板３２と自動取引装置１の筐体とは接していてよいが、特に接していなくてもよい。ただし、バッテリ部１４から熱が拡散してしまうことを妨げるという観点からは、仕切り板３２と自動取引装置１の筐体とは、接しているのがよい。さらに、仕切り板３２と自動取引装置１の筐体とが接していれば、自動取引装置１の筐体の強度を増すことが可能であるという新たな効果も享受され得る。
【００６０】
また、図２〜図５に示されたように、仕切り板２９は、筐体の内部に水平方向に設けられ、筐体の内部は、仕切り板２９によって上部と下部とに仕切られるとよい。仕切り板２９が設けられることによって、熱の移動が仕切り板２９によって妨げられるとともに、筐体の上部に設けられたスリット２７と筐体の下部に設けられたスリット２８とから熱が排出される。そのため、筐体内部の上部および下部の間で熱の移動がなされる可能性を抑制することが可能となる。
【００６１】
なお、仕切り板２９の位置は特に限定されない。しかし、図２〜図５を参照すると、仕切り板２９によって仕切られた筐体内部の上部には、カード明細部１０および制御部１２が存在し、仕切り板２９によって仕切られた筐体の下部には、紙幣部１１、電源部１３およびバッテリ部１４が存在している。
【００６２】
このような位置に仕切り板２９が設けられている場合には、カード明細部１０および制御部１２によって発生された熱が、紙幣部１１、電源部１３およびバッテリ部１４に移動してしまう可能性を抑制することが可能となる。さらに、このような位置に仕切り板２９が設けられている場合には、紙幣部１１、電源部１３およびバッテリ部１４によって発生された熱が、カード明細部１０および制御部１２に移動してしまう可能性を抑制することが可能となる。
【００６３】
また、仕切り板２９の材質は特に限定されないため、自動取引装置１の筐体と同一の材質であってもよいし、自動取引装置１の筐体と異なる材質であってもよい。
【００６４】
また、仕切り板２９の大きさは特に限定されない。例えば、図２〜図５に示したように、仕切り板２９と自動取引装置１の筐体とは接していてよいが、特に接していなくてもよい。ただし、筐体内部の上部および下部の間で熱が移動してしまうことを妨げるという観点からは、仕切り板２９と自動取引装置１の筐体とは、接しているのがよい。さらに、仕切り板２９と自動取引装置１の筐体とが接していれば、自動取引装置１の筐体の強度を増すことが可能であるという新たな効果も享受され得る。
【００６５】
さらに、仕切り板２９と自動取引装置１の筐体とが接していれば、仕切り板２９と自動取引装置１の筐体とが接していない場合と比較して、紙幣部１１の外部から紙幣部１１の内部にアクセスすることが困難になることが予想される。したがって、仕切り板２９と自動取引装置１の筐体とが接していれば、紙幣部１１の内部に存在する紙幣が不正に取り出される可能性が低減されるという他の効果も享受され得る。
【００６６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６７】
また、例えば、自動取引装置１の動作全体を制御するための制御部１２は、専用のハードウェアによって構成されてもよいし、自動取引装置１に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【符号の説明】
【００６８】
１      自動取引装置
２      表示部
３      カード明細口
４      紙幣口
５      キー操作部
６      キー部
７      装置本体
１０    カード明細部
１１    紙幣部
１２    制御部
１３    電源部
１４    バッテリ部
１５〜２０  ファン
２１〜２８  スリット
２９〜３２  仕切り板
【図１】
2015184978.tif 000003
【図２】
2015184978.tif 000004
【図３】
2015184978.tif 000005
【図４】
2015184978.tif 000006
【図５】
2015184978.tif 000007